(57)【特許請求の範囲】
【請求項１】
一対の基板と、
電圧を印加される一対のバスバーと、
少なくとも一部分が前記一対の基板の間に配置され、電圧を印加されることによって発熱する発熱用導電体と、を備え、
前記発熱用導電体は、前記一対のバスバーの間を延び且つホログラムを形成するパターンにて配置された複数の導電性細線を含む、透明発熱板。
【請求項２】
前記発熱用導電体は、導電性金属層と前記導電性金属層上に設けられた暗色層とを含む導電性細線を有する、請求項１に記載の透明発熱板。
【請求項３】
請求項１または２のいずれか一項に記載された透明発熱板を備えた建築物用窓。
【発明の詳細な説明】
【技術分野】
【０００１】
本発明は、意匠性を有した透明発熱板、及び、この透明発熱板を有する建築物用窓に関する。
【背景技術】
【０００２】
従来、住宅等の各種建築物の窓に用いる電熱パネルヒータとして、例えば特許文献１や特許文献２に記載されている器具が公知である。このような器具によれば、パネル内の電熱線に通電し、その抵抗加熱によって器具を発熱させることで、暖房や、窓の融雪、霜取り、防曇といった機能を発揮することができる。
【先行技術文献】
【特許文献】
【０００３】
【特許文献１】特開２００２―２９９０１３号公報
【特許文献２】特開２０１０−２５１２３０号公報
【発明の概要】
【発明が解決しようとする課題】
【０００４】
従来技術の透明発熱板は、接合層及び電熱線を間に挟み込んで一対のガラス板を加熱圧着し、作製される。また、電熱線としては、別工程で製造された金属等の細線を用い、この細線を一対のガラス板の間に配置していた。このような透明発熱板においては、透明発熱板の透視性を確保することに注力されていた。
【０００５】
その一方で、透明発熱板が、十分な透視性を発揮しながら、視覚で感知され得る表示を行うことができれば、透明発熱板の商品力を改善し、透明発熱板の更なる普及に寄与し得る。また、別途の作業を必要とすることなく、透明発熱板に表示物を設けることができれば、製造コスト等の観点において都合が良い。本発明は、このような点を考慮してなされてものであり、視覚で感知し得る表示を行うことができる透明発熱板であって、とりわけ容易に製造され得る透明発熱板を提供することを目的とする。
【課題を解決するための手段】
【０００６】
本発明による第１の透明発熱板は、
一対の基板と、
電圧を印加される一対のバスバーと、
前記一対のバスバーの間を連結し、少なくとも一部分が前記一対の基板の間に配置された発熱用導電体と、
前記一対の基板の間に位置し、前記発熱用導電体と同一の材料で形成された表示物と、を備える。
【０００７】
本発明による第２の透明発熱板は、
一対の基板と、
電圧を印加される一対のバスバーと、
少なくとも一部分が前記一対の基板の間に配置され、電圧を印加されることによって発熱する発熱用導電体と、を備え、
前記発熱用導電体は、前記一対のバスバーの間を延び且つホログラムを形成するパターンにて配置された複数の導電性細線を含む。
【０００８】
本発明による建築物用窓は、上述した本発明による第１または第２の透明発熱板のいずれかを備える。
【発明の効果】
【０００９】
本発明によれば、視覚で感知し得る表示を有する透明発熱板を、容易に製造することができる。
【図面の簡単な説明】
【００１０】
【図１】図１は、本発明による一実施の形態を説明するための図であって、透明発熱板を備えた建築物の窓を概略的に示す図である。
【図２】図２は、透明発熱板をその板面の法線方向から示す図である。
【図３】図３は、図２のIII−III線における透明発熱板の横断面図である。
【図４】図４は、導電体付きシートをそのシート面の法線方向から示す平面図であって、導電体付きシートの一例を示す平面図である。
【図５】図５は、導電体付きシートをそのシート面の法線方向から示す平面図であって、導電体付きシートの他の例を示す平面図である。
【図６】図６は、導電体付きシートをそのシート面の法線方向から示す平面図であって、導電体付きシートの更に他の例を示す平面図である。
【図７】図７は、透明発熱板の製造方法の一例を説明するための図である。
【図８】図８は、透明発熱板の製造方法の一例を説明するための図である。
【図９】図９は、透明発熱板の製造方法の一例を説明するための図である。
【図１０】図１０は、透明発熱板の製造方法の一例を説明するための図である。
【図１１】図１１は、透明発熱板の製造方法の一例を説明するための図である。
【図１２】図１２は、透明発熱板の製造方法の一例を説明するための図である。
【図１３】図１３は、透明発熱板の製造方法の一例を説明するための図である。
【図１４】図１４は、導電体付きシートの一変形例を説明するための図である。
【発明を実施するための形態】
【００１１】
以下、図面を参照して本発明の一実施の形態について説明する。なお、本件明細書に添付する図面においては、図示と理解のしやすさの便宜上、適宜縮尺及び縦横の寸法比等を、実物のそれらから変更し誇張してある。
【００１２】
なお、本明細書において、「シート面（板面、フィルム面）」とは、対象となるシート状（板状、フィルム状）の部材を全体的かつ大局的に見た場合において対象となるシート状部材（板状部材、フィルム状部材）の平面方向と一致する面のことを指す。また、シート状（フィルム状、板状）の部材に対する法線方向とは、当該シート状（フィルム状、板状）の部材のシート面（フィルム面、板面）への法線方向のことを指す。
【００１３】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１４】
図１乃至図１４は、本発明による一実施の形態およびその変形例を説明するための図である。このうち図１は、透明発熱板を備えた建築物用の窓を概略的に示す図であり、図２は、透明発熱板をその板面の法線方向から見た図であり、図３は、図２の透明発熱板の横断面図である。
【００１５】
図１に示されているように、建築物用窓の一例としての窓１が透明発熱板１０で構成されている例を説明する。また、窓１はその周囲にある電源７（図２参照）と接続している。
【００１６】
図２及び図３に示すように、本実施の形態における透明発熱板１０は、基板１１，１２と、基板１１，１２の間に配置された導電体付きシート２０と、各基板１１，１２と導電体付きシート２０とを接合する一対の接合層１３，１４と、を有している。
【００１７】
導電体付きシート２０は、基材フィルム２１と、基材フィルム２１の一方の基板１１に対面する面上に設けられた発熱用導電体３０と、発熱用導電体３０に通電するための一対のバスバー２５と、発熱用導電体３０と同一の材料で形成された表示物４０と、を有する。発熱用導電体３０は、導電性細線３１の集合体として形成されている。
【００１８】
また、図２によく示されているように、透明発熱板１０は、発熱用導電体３０に通電するための配線部１５を有している。図示された例では、電源７によって、配線部１５から導電体付きシート２０のバスバー２５を介して発熱用導電体３０に通電し、発熱用導電体３０を抵抗加熱により発熱させる。発熱用導電体３０で発生した熱は基板１１，１２に伝わり、基板１１，１２が温められる。
【００１９】
なお、透明発熱板の「透明」とは、当該透明発熱板を介して当該透明発熱板の一方の側から他方の側を透視し得る程度の透明性を有していることを意味しており、例えば、２０％以上、より好ましくは７０％以上の可視光透過率を有していることを意味する。可視光透過率は、分光光度計（（株）島津製作所製「ＵＶ−３１００ＰＣ」、ＪＩＳＫ０１１５準拠品）を用いて測定波長３８０ｎｍ〜７８０ｎｍの範囲内で測定したときの、各波長における透過率の平均値として特定される。又、本発明で言う「透明」とはヘイズ（曇価）の低い曇りの無い透明の他に高ヘイズの曇り硝子の如き曇った透明でも良い。又、斯かる「透明」は無色透明の他に着色透明でも良い。
【００２０】
また、本明細書において、「板」、「シート」、「フィルム」の用語は、呼称の違いのみに基づいて、互いから区別されるものではない。例えば、「導電体付きシート」は板やフィルムと呼ばれ得るような部材をも含む概念であり、したがって、「導電体付きシート」は、「導電体付き板（基板）」や「導電体付きフィルム」と呼ばれる部材と、呼称の違いのみにおいて区別され得ない。
【００２１】
以下、透明発熱板１０の各構成要素について説明する。
【００２２】
まず、基板１１，１２について説明する。基板１１，１２は、図１で示された例のように建築物の窓に用いる場合、可視光透過率が高いものを用いることが好ましい。このような基板１１，１２の材質としては、ソーダライムガラスや青板ガラスが例示できる。基板１１，１２の可視光透過率は９０％以上であることが好ましい。ただし、基板１１，１２の一部または全体に着色するなどして、この一部分の可視光透過率を低くしてもよい。この場合、太陽光の直射を遮ったり、屋外から屋内を視認しにくくしたりすることができる。
【００２３】
また、基板１１，１２は、１ｍｍ以上５ｍｍ以下の厚みを有していることが好ましい。このような厚みであると、強度及び光学特性に優れた基板１１，１２を得ることができる。一対の基板１１，１２は、同一の材料で同一に構成されていてもよいし、或いは、材料および構成の少なくとも一方において互いに異なるようにしてもよい。
【００２４】
次に、接合層１３，１４について説明する。接合層１３は、一方の基板１１と導電体付きシート２０との間に配置され、一方の基板１１と導電体付きシート２０とを互いに接合する。接合層１４は、他方の基板１２と導電体付きシート２０との間に配置され、他方の基板１２と導電体付きシート２０とを互いに接合する。
【００２５】
このような接合層１３，１４としては、種々の接着性または粘着性を有した材料からなる層を用いることができる。また、接合層１３，１４は、可視光透過率が高いものを用いることが好ましい。典型的な接合層としては、ポリビニルブチラール（ＰＶＢ）からなる層を例示することができる。接合層１３，１４の厚みは、それぞれ０．１５ｍｍ以上１ｍｍ以下であることが好ましい。一対の接合層１３，１４は、同一の材料で同一に構成されていてもよいし、或いは、材料および構成の少なくとも一方において互いに異なるようにしてもよい。
【００２６】
なお、透明発熱板１０には、図示された例に限られず、特定の機能を発揮することを期待されたその他の機能層が設けられても良い。また、１つの機能層が２つ以上の機能を発揮するようにしてもよいし、例えば、透明発熱板１０の基板１１，１２、接合層１３，１４、後述する導電体付きシート２０の基材フィルム２１の、少なくとも一つに何らかの機能を付与するようにしてもよい。透明発熱板１０に付与され得る機能としては、一例として、反射防止（ＡＲ）機能、耐擦傷性を有したハードコート（ＨＣ）機能、赤外線遮蔽（反射）機能、紫外線遮蔽（反射）機能、防汚機能、帯電防止機能、着色機能等を例示することができる。
【００２７】
次に、導電体付きシート２０について説明する。導電体付きシート２０は、基材フィルム２１と、基材フィルム２１の一方の基板１１に対面する面上に設けられ且つ導電性細線３１を含む発熱用導電体３０と、発熱用導電体３０に通電するための一対のバスバー２５と、発熱用導電体３０と同一の材料で形成された表示物４０と、を有する。導電体付きシート２０は、基板１１，１２と略同一の平面寸法を有している。
【００２８】
基材フィルム２１は、発熱用導電体３０及び表示物４０を支持する基材として機能する。基材フィルム２１は、可視光線波長帯域の波長（３８０ｎｍ〜７８０ｎｍ）を透過する一般に言うところの透明である電気絶縁性のフィルムである。基材フィルム２１としては、可視光を透過し、発熱用導電体３０及び表示物４０を適切に支持し得るものであればいかなる材質のものでもよいが、例えば、ポリエチレンテレフタレート、ポリエチレンナフタレート、ポリカーボネート、ポリスチレン、環状ポリオレフィン等を挙げることができる。また、基材フィルム２１は、光透過性や、発熱用導電体３０及び表示物４０の適切な支持性等を考慮すると、０．０３ｍｍ以上０．２０ｍｍ以下の厚みを有していることが好ましい。
【００２９】
次に、図４乃至図６を参照しながら、発熱用導電体３０について説明する。図４乃至図６は、いずれも導電体付きシート２０をそのシート面の法線方向から見た平面図であるが、発熱用導電体３０が互いに異なるパターンを有している。
【００３０】
発熱用導電体３０は、一対のバスバー２５の間に配置された導電性細線３１を有している。導電性細線３１は、バッテリー等の電源７から、配線部１５及びバスバー２５を介して通電され、抵抗加熱により発熱する。そして、この熱が接合層１３，１４を介して基板１１，１２に伝わることで、基板１１，１２が温められる。
【００３１】
導電性細線３１は、種々のパターンで配列することができる。図４及び図５に示された例では、発熱用導電体３０は、導電性細線３１が多数の開口３３を画成するメッシュ状のパターンで配置されることによって形成されている。発熱用導電体３０は、２つの分岐点３２の間を延びて、開口３３を画成する複数の接続要素３４を含んでいる。すなわち、発熱用導電体３０の導電性細線３１は、両端において分岐点３２を形成する多数の接続要素３４の集まりとして構成されている。
【００３２】
一方、図６に示された例では、発熱用導電体３０は、一対のバスバー２５の間を連結する複数の導電性細線３１からなっていてもよい。複数の導電性細線３１は、それぞれ延在方向（図６に於いては上下方向）と直交する方向（図６に於いては左右方向）に正弦波状に所定振幅且つ一定周期で振動する周期的な構造で一方のバスバー２５から他方のバスバー２５へ延在している。複数の導電性細線３１は、当該導電性細線３１の延在方向と非平行な方向に、互いから離間して配列されている。とりわけ、複数の導電性細線３１は、当該導電性細線３１の延在方向と直交する方向に配列されている。これにより、隣接する２つの導電性細線３１の間には、隙間３５が形成される。
【００３３】
このような発熱用導電体３０を構成するための材料としては、例えば、金、銀、銅、白金、錫、アルミニウム、クロム、モリブデン、ニッケル、チタン、パラジウム、インジウム、タングステン、及び、これらの金屬の１種以上を含む合金の一以上を例示することができる。
【００３４】
発熱用導電体３０は、上述したように不透明な金属材料を用いて形成され得る。その一方で、発熱用導電体３０によって覆われていない基材フィルム２１上の領域の割合、すなわち非被覆率（開口率とも呼稱される）は、７０％以上９５％以下程度と高くなっている。また、導電性細線３１の線幅は、２μｍ以上２０μｍ以下程度となっている。このため、発熱用導電体３０が設けられている領域は、全体として透明に把握され、発熱用導電体３０の存在が透明発熱板１０の透視性を害さないようになっている。
バスバー２５を構成する為の材料についても、発熱用導電体３０の構成材料として列記したものと同様の物の中から選択することが出來る。バスバー２５の構成材料は発熱用導電体３０の構成材料と同じものを選択すること、或いは両者異なるものを選択することも、何れも可能である。
【００３５】
図３に示された例では、導電性細線３１は、全体として矩形状の断面（接続要素の延在方向と直行する斷面）を有している。導電性細線３１の幅Ｗ、すなわち、透明発熱板１０の板面に沿った幅Ｗは２μｍ以上２０μｍ以下とし、高さ（厚さ）Ｈ、すなわち、透明発熱板１０の板面への法線方向に沿った高さ（厚さ）Ｈは１μｍ以上６０μｍ以下とすることが好ましい。このような寸法の導電性細線３１によれば、その導電性細線３１が十分に細線化されているので、発熱用導電体３０を効果的に不可視化することができる。
【００３６】
また、図３に示されたように、導電性細線３１は、導電性金属層３６、導電性金属層３６の表面のうち、基材フィルム２１に対向する側の面を覆う第１の暗色層３７、導電性金属層３６の表面のうち、基板１１に対向する側の面及び両側面に亙ってこれを覆う第２の暗色層３８を含むようにしてもよい。優れた導電性を有する金属材料からなる導電性金属層３６は、比較的高い可視光の反射率を呈する。そして、発熱用導電体３０の導電性細線３１をなす導電性金属層３６によって光が反射されると、その反射した光が視認されるようになり、透明発熱板１０を通した視界を妨げる場合がある。また、外部から導電性金属層３６が視認されると、意匠性が低下する場合がある。そこで、第１及び第２の暗色層３７，３８が、導電性金属層３６の表面の少なくとも一部分を覆っている。第１及び第２の暗色層３７，３８は、導電性金属層３６よりも可視光の反射率が低い層であればよく、例えば黒色、褐色、暗緑色、臙脂色、紺色、濃紫色等の暗色の層である。この暗色層３７，３８によって、導電性金属層３６が視認されづらくなり、外部から見たときの意匠性の低下を防ぐことができる。
【００３７】
なお、前述したように、透明発熱板１０の透視性または透明発熱板１０を介した視認性を確保する観点から、非被覆率が高くなるように、発熱用導電体３０の導電性細線３１は基材フィルム２１上に形成されている。このため、図３に示すように、接合層１３と導電体付きシート２０の基材フィルム２１とは、導電性細線３１の非被覆部（開口部とも呼稱されることがある）、すなわち隣り合う導電性細線３１の間となる領域を介して接触している。このため、発熱用導電体３０は、接合層１３内に埋め込まれた状態となっている。
【００３８】
次に、表示物４０について説明する。表示物４０は、発熱用導電体３０と同一の材料で形成されており、発熱用導電体３０と同一の場所、つまり一対の基板の間に設けられている。なお、表示物４０は、図４及び図６のように発熱用導電体３０の導電性細線３１と接続していてもよいし、図５のように導電性細線３１から空間的に分離独立して絶縁されていてもよい。
【００３９】
表示物４０は、視覚によって感知され得る情報を表示、又は、視覚によって感知され得る意匠性を表現する。表示物４０の具体例として、視覚によって感知され得る、図形、パターン、デザイン、絵、キャラクター、文字、マーク、数字、記号等を例示することができる。図４乃至図６では、例として「ＡＢＣ」の文字を示している。
【００４０】
また、表示物４０は、後述するように発熱用導電体３０と同時に形成される。従って、表示物４０の高さ（厚さ）は、発熱用導電体３０の高さ（厚さ）Ｈと同一となる。一方、表示物４０の幅は、上述した例として視認することができるよう、視認されることを回避するために十分細線化された導電性細線３１と比較して十分広くなっている。この結果、表示物４０では電気抵抗が低くなり、従って通電したときの抵抗加熱が少なくなる。あるいは、導電性細線３１から独立している場合、表示物４０に通電しないので、発熱しない。よって、表示物４０の箇所では発熱に寄与しない。ただし、発熱に寄与しない部分は一部であり、透明発熱板１０の全体としては十分に発熱して機能を損なわない。また、発熱用導電体３０が導電性金属層３６、第１及び第２の暗色層３７，３８を有する場合、表示物４０も同様に導電性金属層３６、第１及び第２の暗色層３７，３８を有してもよい。
【００４１】
次に、図７〜図１３を参照して、透明発熱板１０の製造方法の一例について説明する。図７〜図１３は、透明発熱板１０の製造方法の一例を順に示す断面図である。尚、以下に於いて、同材料からなる層であっても、所定領域内の全面を被覆している（パターニングされて無い）状態のものを「膜」と呼稱し、所定の形状にパターニングされた状態のものを「層」と呼稱する。
【００４２】
まず、図７のように、基材フィルム２１上に第１の暗色層３７を形成するようになる暗色膜３７ａを設ける。基材フィルム２１としては、発熱用導電体３０及び表示物４０を適切に保持し得るものであればいかなる材質のものでもよいが、例えば、ポリエチレンテレフタレート、ポリエチレンナフタレート、ポリカーボネート、ポリスチレン、環状ポリオレフィン等を挙げることができる。また、発熱用導電体３０及び表示物４０の保持性等を考慮すると、基材フィルム２１の厚みとしては、３０μｍ以上２００μｍ以下のものを用いることが好ましい。また、暗色膜３７ａは、例えば、電解めっき及び無電解めっきを含むめっき法、スパッタリング法、ＣＶＤ法、ＰＶＤ法、イオンプレーティング法、又はこれらの二以上を組み合わせた方法により設けることができる。なお、暗色膜３７ａの材料としては、種々の公知のものを用いることができる。例えば窒化銅、酸化銅、窒化ニッケル等が例示できる。
【００４３】
次に、図８に示すように、導電性金属層３６を形成するようになる金属膜３６ａを暗色膜３７ａ上に設ける。金属膜３６ａは、導電性金属層３６をなす材料として既に説明したように、金、銀、銅、白金、錫、アルミニウム、クロム、モリブデン、ニッケル、チタン、パラジウム、インジウム、タングステン、及び、これらの金屬を１種以上含む合金の一以上を用いて形成され得る。金属膜３６ａは、公知の方法で形成され得る。例えば、銅箔等の金属箔を貼着する方法、電解めっき及び無電解めっきを含むめっき法、スパッタリング法、ＣＶＤ法、ＰＶＤ法、イオンプレーティング法、又はこれらの二以上を組み合わせた方法を採用することができる。
【００４４】
次に、図９に示すように、金属膜３６ａ上に、レジストパターン３９を設ける。レジストパターン３９は、形成されるべき発熱用導電体３０及び表示物４０に対応した形となっている。ここで説明する方法では、最終的に発熱用導電体３０及び表示物４０をなす箇所の上にのみ、レジストパターン３９が設けられている。このレジストパターン３９は、公知のフォトリソグラフィー技術を用いたパターニングにより形成することができる。例えば、フォトマスクによる近接露光を用いる場合は、ネガ型のフォトレジストを用いて、フォトマスクに発熱用導電体３０及び表示物４０の両方を含む遮蔽パターンを設けておけばよい。
【００４５】
次に、図１０に示すように、レジストパターン３９をマスクとして、金属膜３６ａ及び暗色膜３７ａをエッチングする。このエッチングにより、金属膜３６ａ及び暗色膜３７ａがレジストパターン３９と略同一のパターンにパターニングされる。この結果、パターニングされた金属膜３６ａから、導電性細線３１及び表示物４０の一部をなすようになる導電性金属層３６が、形成される。このように、１回のエッチングで導電性細線３１を有する発熱用導電体３０と表示物４０を同時に形成することができる。また、パターニングされた暗色膜３７ａから、導電性細線３１及び表示物４０の一部をなすようになる第１の暗色層３７が、形成される。
【００４６】
なお、エッチング方法は特に限られることはなく、公知の方法が採用できる。公知の方法としては、例えば、塩化第二鉄水溶液等のエッチング液を用いるウェットエッチングや、プラズマエッチングなどのドライエッチングが挙げられる。その後、図１１に示すように、レジストパターン３９を除去する。
【００４７】
次に、図１２に示すように、導電性金属層３６の第１の暗色層３７が設けられた面３１ｂと反対側の面３１ａ及び側面３１ｃ，３１ｄに第２の暗色層３８を形成する。第２の暗色層３８は、例えば導電性金属層３６をなす材料の一部分に暗色化処理（黒化処理）を施して、導電性金属層３６をなしていた一部分から、金属酸化物や金属硫化物からなる第２の暗色層３８を形成することができる。また、暗色材料の塗膜や、ニッケルやクロム等のめっき層等のように、導電性金属層３６の表面に第２の暗色層３８を設けるようにしてもよい。また、導電性金属層３６の表面を粗化して第２の暗色層３８を設けるようにしてもよい。
【００４８】
最後に、図１３に示すように、発熱用導電体３０の側から接合層１３及び基板１１を積層して、導電体付きシート２０と基板１１とを接合する。同様に、基材フィルム２１の側から接合層１４及び基板１２を積層して、導電体付きシート２０と基板１２とを接合する。これにより、図３に示した透明発熱板１０が作製される。
【００４９】
以上のように、本実施の形態によれば、透明発熱板１０は、一対の基板１１，１２と、電圧を印加される一対のバスバー２５と、一対のバスバー２５の間を連結し、少なくとも一部分が一対の基板１１，１２の間に配置された発熱用導電体３０と、一対の基板１１，１２の間に位置し、発熱用導電体３０と同一の材料で形成された表示物４０と、を備えている。このような透明発熱板１０によれば、透明発熱板１０に表示物４０によって、情報やデザインの表示を行うことができ、さらには、透明発熱板１０自体または透明発熱板１０が設置された領域に優れた意匠性を付与することも可能となる。そして、この表示物４０は、発熱用導電体３０と同一の材料で同時に形成することができる。したがって、透明発熱板１０の内部に表示物４０の層を別に設ける必要が無く、また製造過程において表示物４０を付加する工程を別途設ける必要が無い。従って、表示を行うことができる有用な透明発熱板１０を、製造コストの上昇を抑えながら、容易に製造することができる。
【００５０】
なお、前述した実施の形態に対して様々な変更を加えることが可能である。以下、図面を適宜参照しながら、変形例について説明する。以下の説明及び以下の説明で用いる図面では、上述した実施の形態と同様に構成され得る部分について、前述の実施の形態における対応する部分に対して用いた符号と同一の符号を用いることとし、重複する説明を省略する。
【００５１】
図１４を参照して、透明発熱板１０の変形例について説明する。図１４は、導電体付きシート２０の変形例を示す平面図である。
【００５２】
図１４に示した例において、導電体付きシート２０は、発熱用導電体３０とバスバー２５と、基材フィルム２１とを有する。発熱用導電体３０は、図４の例と同様に、一対のバスバー２５間を連結する複数の導電性細線３１からなっている。複数の導電性細線３１は、それぞれ周期的な構造で一方のバスバー２５から他方のバスバー２５へ延在している。そして、複数の導電性細線３１の一部は、振幅ホログラムを形成するように、その面内位置や線幅が変調されている変調パターンを有する。したがって、この振幅ホログラムとして機能する複数の導電性細線３１に対し、特定波長域の光、例えばレーザ光を照射すると、当該光が、複数の導電性細線３１で回折される。複数の導電性細線３１で回折された回折光は、再生光として、複数の導電性細線３１の変調パターンに応じた再生像を透過側もしくは反射側に表示することになる。このような透明発熱板１０は、表示物、すなわちホログラムに対応する変調パターンを別の工程で用意する必要がなく、したがって、前述の実施の形態と同一の作用効果を奏することができる。また、本変形例によれば、透明発熱板の外観からは、表示像を把握することができないため、意外性に富み意匠性の高い表示を行うことができる。また、変調パターンの選択により立体画像を表示することもできる。
【００５３】
透明発熱板１０は、住宅、事務所、店舗、病院乃至医院等の各種建築物用の窓以外にも、特に室内と室外とを区画する透明部を有する箇所、例えば扉（硝子戸）、間仕切、壁面（透明壁）等に使用することもできる。また、窓、扉、間仕切り等の室内外を区劃するものには限らず、住宅の内部の透明部分を有する窓や扉、浴槽の仕切り窓や天窓など、建築物用用途一般に霜取りや防曇等を目的として用いることもできる。
【００５４】
更に、透明発熱板１０は、自動車、鉄道、航空機、船舶、宇宙船等の乗り物、冷蔵庫、展示ケース等の透明部を有する窓や扉に用いてもよい。
【００５５】
なお、以上において前述した実施の形態に対するいくつかの変形例を説明してきたが、当然に、複数の変形例を適宜組み合わせて適用することも可能である。
【符号の説明】
【００５６】
１    窓
７    電源
１０    透明発熱板
１１    基板
１２    基板
１３    接合層
１４    接合層
１５    配線部
２０    導電体付きシート
２１    基材フィルム
２５    バスバー
３０    発熱用導電体
３１    導電性細線
３２    分岐点
３３    開口
３４    接続要素
３５    隙間
３６    導電性金属層
３７    第１の暗色層
３８    第２の暗色層
３９    レジストパターン
４０    表示物
【図１】
0006493795.tif 000002
【図２】
0006493795.tif 000003
【図３】
0006493795.tif 000004
【図４】
0006493795.tif 000005
【図５】
0006493795.tif 000006
【図６】
0006493795.tif 000007
【図７】
0006493795.tif 000008
【図８】
0006493795.tif 000009
【図９】
0006493795.tif 000010
【図１０】
0006493795.tif 000011
【図１１】
0006493795.tif 000012
【図１２】
0006493795.tif 000013
【図１３】
0006493795.tif 000014
【図１４】
0006493795.tif 000015